(57)【要約】【課題】階段手すりの笠木や腰壁の笠木等の各種の手をすりながら用いる笠木における使用後部側に手すり部を一体に設け、この手すりを握って用いる際に、その肘を乗せかけ得る乗せかけ面部を設けて、円滑、確実な移動を可能にする。【解決手段】歩行移動等の動作時に手をするようにして用いることのできる笠木Ａであって、この笠木Ａが、長尺の板状体１０の幅側における使用後部側１０ａにある長手縁に沿って該板状体１０から連続するように起立された手すり部１１を備えており、前記手すり部１１を除く板状体１０の上面１０ｃが、前記手すり部１１を使用手前側１０ｂから握って移動する際に肘を乗せかけ得る乗せかけ面部１０ｃ’としてある笠木。【選択図】図１
2008038562.tif 000002
【特許請求の範囲】
【請求項１】
歩行移動等の動作時に手をするようにして用いることのできる笠木であって、
この笠木が、長尺の板状体の幅側における使用後部側にある長手縁に沿って該板状体から連続するように起立された手すり部を備えており、
前記手すり部を除く板状体の上面が、前記手すり部を使用手前側から握って移動する際に肘を乗せかけ得る乗せかけ面部としてあることを特徴とする笠木。
【請求項２】
歩行移動等の動作時に手をするようにして用いることのできる笠木であって、
この笠木が、長尺の角材状体の幅側における使用後部側にある長手縁に沿って上面に開口する溝部を介して該角材状体から連続するように起立された手すり部を備えており、
この溝部が前記手すり部を握って用い得る溝幅を備えており、かつ、前記溝部及び手すり部を除く角材状体の上面が、前記手すり部を使用手前側から握って移動する際に肘を乗せかけ得る乗せかけ面部としてあることを特徴とする笠木。
【請求項３】
前記手すり部が前面側に拇指を差し入れ得る溝状凹部を長手方向にわたって備えていることを特徴とする請求項１または請求項２に記載の笠木。
【請求項４】
前記手すり部が背面側に指掛用の溝状凹部を長手方向にわたって備えていることを特徴とする請求項１、請求項２または請求項３に記載の笠木。
【発明の詳細な説明】
【技術分野】
【０００１】
この発明は、歩行移動等の動作時に手をするようにして用いられる笠木、例えば、階段手すり等の手すりや、腰壁等の頂部に備えられて、手すりや腰壁等の天端に都合の良い手すり機能をもたらすようにした笠木の提供に関する。
【背景技術】
【０００２】
腰壁の頂部に備えられて腰壁に見切りの良い天端を提供する笠木は、当該笠木に手をするようにして用いることができ、多くの場合、この天端面に肘をもたせかけて用い得る高さを備える構成としてある。
【０００３】
しかしながら、かかる笠木は、肘を乗せかけた状態で握り得る手すりを備えておらず、当該笠木に手をすって移動する際や、肘を乗せかけて移動する際に、しっかりとした保持部がなく、バランスを適切に保持したり、バランスの崩れを適切に修正することが難しかった。
【０００４】
また、壁面に取り付けられている所謂壁付き手摺りにあっては、通路の有効活用スペースを狭め、各種動作の妨げとなる不具合があった。
【０００５】
また、このような壁付き手摺りでは、握力を十分に有しない使用者が使用中にバランスを崩した際に、身体を寄せつけるところがなく、支えきれない不具合が予想される。
【０００６】
かかる点から、壁付き手すりを改良して、肘掛部を有する壁付き手摺りが提案されている（例えば、特許文献１）。
【０００７】
【特許文献１】特開２００３−２０６６０８号公報
【発明の開示】
【発明が解決しようとする課題】
【０００８】
しかしながら、この特許文献１に示されている肘掛け手摺りは、肘掛け部の幅方向端部が膨出部としてあることから、この膨出部を握って肘掛け部に肘を乗せかけて移動するためには、肘を壁側に張り出す姿勢とならざるを得ず、壁に近接した態様での移動を余儀なくされる不具合があった。
【０００９】
また、この肘掛け手摺りにあっては、膨出部を握って用いる場合、前記事情から肘掛け部に十分な幅が必要であり、十分な幅の肘掛け部を備えていない肘掛け手摺りでは使い勝手が良くなく、また、当該肘掛け部に十分な幅をもたらすように壁面から突出させた場合には、この肘掛け手摺りが通路における有効使用スペースを極端に狭める不具合があった。
【００１０】
また、この肘掛け手摺りにおける膨出部を通例の壁付き手摺りと同様に握って用いるには、この膨出部位置が床面から概ね７５０ｍｍ〜８００ｍｍ高さにあることが好ましく、肘掛け部に肘を乗せかけて都合良く用いるには概ね９００ｍｍ〜１０００ｍｍ高さに当該膨出部が備えられていることが好ましく、この特許文献１に記載の肘掛け手摺りでは、かかる点の配慮がなされていない。
【００１１】
この発明では、床面からの高さが、通例９００ｍｍ〜１０００ｍｍ位置にある歩行移動等の動作時に手をするようにして用いられる笠木、例えば、階段手すり等の手すりや腰壁等の笠木の天端面を活用することで、肘の乗せかけに都合が良く、しかも、肘を乗せかけながら都合良く握り易い位置に手すり部を設けて、握力等に難を有する使用者にあっても、身体のバランスを都合良く維持し得るように用いることのできる笠木の提案を目的としている。
【課題を解決するための手段】
【００１２】
かかる課題を解決するために第１の発明は、歩行移動等の動作時に手をするようにして用いることのできる笠木であって、
この笠木が、長尺の板状体の幅側における使用後部側にある長手縁に沿って該板状体から連続するように起立された手すり部を備えており、
前記手すり部を除く板状体の上面が、前記手すり部を使用手前側から握って移動する際に肘を乗せかけ得る乗せかけ面部としてあることを特徴とする笠木としてある。
【００１３】
このように構成される笠木にあっては、この笠木における使用手前側、すなわち、当該笠木に沿ったフロア、廊下、バルコニー、階段等の移動動作空間の側から腕を伸ばして前記手すり部を握って用いる際に、当該手すり部を握った腕を自然に伸ばした状態で、肘部分を乗せかけ面部に無理なく乗せかけることができ、手すり部を握り、かつ、肘部分を乗せかけ面部に乗せかけて、安全かつ無理なく移動動作をなすことができる。
【００１４】
また、かかる構成からなる笠木は、手すり部が笠木の使用後部側にある長手縁に沿って備えられており、しかも、この手すり部が当該笠木における平面内に納まった状態で備えられていることから、壁付き手すりにおけるように手すりが壁から突き出すことに伴う不具合を生ずることがない。
【００１５】
また、かかる構成からなる笠木にあっては、手すり部が板状体から連続するように起立されていることから、手すり部と板状体とが一体的な笠木の外観を呈し、意匠的に纏まりの良い笠木を構成することができる。
【００１６】
また、かかる構成からなる笠木にあっては、壁付き手すりよりも高い位置にある笠木の上面を肘の乗せかけ面部としてあり、手すり部を握って移動をする際に、肘部分を都合良く乗せかけ面部に乗せかけて用いることができる。
【００１７】
かかる課題を解決するために第２の発明は、歩行移動等の動作時に手をするようにして用いることのできる笠木であって、
この笠木が、長尺の角材状体の幅側における使用後部側にある長手縁に沿って上面に開口する溝部を介して該角材状体から連続するように起立された手すり部を備えており、
この溝部が前記手すり部を握って用い得る溝幅を備えており、かつ、前記溝部及び手すり部を除く角材状体の上面が、前記手すり部を使用手前側から握って移動する際に肘を乗せかけ得る乗せかけ面部としてあることを特徴とする笠木としてある。
【００１８】
このように構成される笠木にあっては、この笠木における使用手前側、すなわち、当該笠木に沿ったフロア、廊下、バルコニー、階段等の移動動作空間の側から腕を伸ばして前記手すり部を握って用いる際に、当該手すり部を握った腕を自然に伸ばした状態で、肘部分を乗せかけ面部に無理なく乗せかけることができ、手すり部を握り、かつ、肘部分を乗せかけ面部に乗せかけて、安全かつ無理なく移動動作をなすことができる。
【００１９】
また、かかる構成からなる笠木にあっては、手すり部が笠木の使用後部側にある長手縁に沿った溝部を介して当該使用後部側にある長手縁に沿って備えられており、しかも、この手すり部が笠木における平面内に納まった状態で備えられていることから、壁付き手すりのように手すりが壁から突き出すことに伴う不具合を生ずることがない。
【００２０】
また、かかる構成からなる笠木は、手すり部が角材状体から溝部を介して連続するように起立されており、手すり部と角材状体とが一体的な笠木の外観を呈し、意匠的に纏まりの良い笠木を構成することができる。
【００２１】
また、かかる構成からなる笠木にあっては、壁付き手すりよりも高い位置にある笠木の上面を肘の乗せかけ面部としてあり、手すり部を握って移動をする際に、肘部分を都合良く乗せかけ面部に乗せかけて用いることができる。
【００２２】
また、前記構成に係る笠木において、前記手すり部が前面側に拇指を差し入れ得る溝状凹部を長手方向にわたって備えていることを特徴とする笠木にあっては、前記特長に併せて、手すり部を確実に握り用いることができる。
【００２３】
また、前記構成に係る笠木において、前記手すり部が背面側に指掛用の溝状凹部を長手方向にわたって備えていることを特徴とする笠木にあっては、前記特長に併せて、手すり部を確実に握り用いることができる。
【発明の効果】
【００２４】
この発明に係る笠木は、通路等の移動動作空間を狭めることなく、円滑、かつ、確実に握り用いることのできる手すり部を備えていると共に、この手すり部を握って移動する際に、手すり部を握った腕の肘部分を無理なく乗せかけ得る乗せかけ面部を備える笠木を外観意匠の整った状態で提供することで、動作空間内における移動動作を無理なく、しかも、安全になし得るようになすと共に、建物空間を有効に活用することができ、また、建物空間の意匠性を高めることができる。
【発明を実施するための最良の形態】
【００２５】
以下、図１〜図１９に基づいて、この発明を実施するための最良の形態に係る笠木Ａについて説明する。
【００２６】
なお、ここで図１は当該発明を実施するための最良の形態に笠木Ａの典型的な使用態を斜め上方から見て、図２では、この使用状態の要部を上方から見て、図３では、これを斜め上方から見て、図４では、これを正面から見て、図５では、これを断面して示している。図６では、この図１〜図５において用いられている典型的な笠木Ａの要部を斜め上方から見て、また、図７では、この笠木Ａを幅方向で縦向きに断面した状態を示している。
【００２７】
図８は、他の典型的な笠木Ａを斜め上方から見て、図９は、これを幅方向で縦向きに断面した状態を示している。図１０は、更に他の典型的な笠木Ａを斜め上方から見て、図１１は、これを幅方向で縦向きに断面した状態を、図１２は、更に他の典型的な笠木Ａを斜め上方から見て、図１３は、これを幅方向で縦向きに断面した状態を、図１４は、更に他の典型的な笠木Ａを斜め上方から見て、図１５は、これを幅方向で縦向きに断面した状態を、図１６は、更に他の典型的な笠木Ａを斜め上方から見て、図１７は、これを幅方向で縦向きに断面した状態を、図１８は、更に他の典型的な笠木Ａを斜め上方から見て、図１９は、これを幅方向で縦向きに断面した状態を、それぞれ示している。
【００２８】
まず、第１の発明を実施するための最良の形態に係る笠木Ａは、歩行移動等の動作時に手をするようにして用いることのできる笠木Ａであって、この笠木Ａが、長尺の板状体１０の幅側における使用後部側１０ａにある長手縁に沿って該板状体１０から連続するように起立された手すり部１１を備えており、前記手すり部１１を除く板状体１０の上面１０ｃが、前記手すり部１１を使用手前側１０ｂから握って移動する際に肘を乗せかけ得る乗せかけ面部１０ｃ’としてある。
【００２９】
なお、ここで構成される笠木Ａは、住宅等に備え付けられる階段手すり、バルコニー手すり、吹き抜け空間の上階側廊下を構成する手すり、上階フロアを吹き抜けに沿って構成する手すり等の各種の手すりＢや、上端に手をするように笠木を備えて構成され、前記手すりと同様に用いられる腰壁Ｃ（本明細書では、壁体部の上端に手をするように笠木を備えて構成される手すり体を腰壁Ｃと称する。）等の歩行移動等の動作時に手をするようにして用い得る建物備え付けの造作等であれば、建物におけるいかなる対象物に備え付けられていても良い。
【００３０】
また、この笠木Ａを構成する板状体１０は、設置対象物との兼ね合いで、いかなる素材によって構成してあってもよいが、例えば、無垢の木材や、集成材等の木製とすることが手触り感等から好ましい。
【００３１】
また、手すり部１１は、この板状体１０と共に笠木Ａを構成するものであれば、いかなる素材で構成してあっても、また、いかなる形態に構成してあってもよい。かかる手すり部１１は、例えば、当該板状体１０と一体をなすように当該板状体１０と同種の素材によって構成し、あるいは、強度的、意匠的要請に対応した各種素材で構成すると共に前記板状体１０に一体となるように接着、釘着、ビス着等適宜の手段で連結してあってもよい。また、無垢の木材や集成材等の木材を切削等で手すり部１１を備える笠木Ａとして作り出すようにしてあってもよい。
【００３２】
このように構成される笠木Ａにあっては、この笠木Ａにおける使用手前側１０ｂ、すなわち、当該笠木Ａに沿っているフロア、廊下、バルコニー、階段等の移動動作空間の側から、腕を伸ばして前記手すり部１１を握って用いる際に、当該手すり部１１を握った腕を自然に伸ばした状態において、肘部分を乗せかけ面部１０ｃ’に無理なく乗せかけることができ、手すり部１１を握り、かつ、肘部分を乗せかけ面部１０ｃ’に乗せかけて、安全かつ無理なく移動動作をなすことができる。
【００３３】
また、かかる構成からなる笠木Ａにあっては、手すり部１１が笠木Ａの使用後部側１０ａにある長手縁に沿って備えられており、この手すり部１１が当該笠木Ａにおける平面内に納まった状態で備えられているため、壁付き手すりＦのように壁から手すりが突き出し設けられる不具合がない。
【００３４】
また、かかる構成からなる笠木Ａは、手すり部１１が板状体１０から連続するように起立されており、手すり部１１と板状体１０とが一体となって笠木Ａの外観を構成し、意匠的に纏まりの良い笠木Ａを構成することができる。
【００３５】
また、かかる構成からなる笠木Ａにあっては、壁付き手すりＦよりも高い位置にある笠木Ａの上面を肘の乗せかけ面部１０ｃ’としてあり、手すり部１１を握って移動動作をする際に、肘部分を都合良く乗せかけ面部１０ｃ’に乗せかけて用いることができる。
【００３６】
ついで、第２の発明を実施するための最良の形態に係る笠木Ａは、歩行移動等の動作時に手をするようにして用いることのできる笠木Ａであって、
この笠木Ａが、長尺の角材状体２０の幅側における使用後部側２０ａにある長手縁に沿って上面２０ｃに開口する溝部２２を介して該角材状体２０から連続するように起立された手すり部２１を備えており、
この溝部２２が前記手すり部２１を握って用い得る溝幅を備えており、かつ、前記溝部２２及び手すり部２１を除く角材状体２０の上面２０ｃが、前記手すり部２１を使用手前側２０ｂから握って移動する際に肘を乗せかけ得る乗せかけ面部２０ｃ’としてある。
【００３７】
なお、ここで構成される笠木Ａは、住宅等に備え付けられる階段手すり、バルコニー手すり、吹き抜け空間の上階側廊下を構成する手すり、上階フロアを吹き抜けに沿って構成する手すり等の各種の手すりＢや、上端に手をするように笠木を備えて構成され、前記手すりと同様に用いられる腰壁Ｃ（本明細書では、壁体部の上端に手をするように笠木を備えて構成される手すり体を腰壁Ｃと称する。）等の歩行移動等の動作時に手をするようにして用い得る建物備え付けの造作等であれば、建物におけるいかなる対象物に備え付けられていても良い。
【００３８】
また、この笠木Ａを構成する角材状体２０は、設置対象物との兼ね合いで、いかなる素材によって構成してあってもよいが、例えば、無垢の木材や、集成材等の木製とすることが手触り感等から好ましい。
【００３９】
また、手すり部２１は、この角材状体２０と共に笠木Ａを構成するものであれば、いかなる素材で構成してあっても、また、いかなる形態に構成してあってもよい。かかる手すり部２１は、例えば、当該角材状体２０と一体をなすように当該角材状体２０と同種の素材によって構成し、あるいは、強度的、意匠的要請に対応した各種素材で構成すると共に前記角材状体２０に溝部２２を設け得るように接着、釘着、ビス着等適宜の手段で連結一体としてあってもよい。また、無垢の木材や集成材等の木材を切削等で溝部２２及び手すり部２１を備える笠木Ａとして作り出すようにしてあってもよい。
【００４０】
このように構成される笠木Ａにあっては、この笠木Ａにおける使用手前側２０ｂ、すなわち、当該笠木Ａに沿っているフロア、廊下、バルコニー、階段等の移動動作空間の側から腕を伸ばして前記手すり部２１を握って用いる際に、当該手すり部２１を握った腕を自然に伸ばした状態において、肘部分を乗せかけ面部２０ｃ’に無理なく乗せかけることができ、手すり部２１を握り、かつ、肘部分を乗せかけ面部２０ｃ’に乗せかけて、安全かつ無理なく移動動作をなすことができる。
【００４１】
また、かかる構成からなる笠木Ａにあっては、手すり部２１が笠木Ａの使用後部側２０ａにある長手縁に沿った溝部２２を介して当該使用後部側２０ａにある長手縁に沿って備えられており、この手すり部２１が当該笠木Ａにおける平面内に納まった状態で備えられているため、壁付き手すりＦのように壁から手すりが突き出し設けられる不具合がない。
【００４２】
また、かかる構成からなる笠木Ａにあっては、手すり部２１が角材状体２０から溝部２２を介して連続するように起立されているため、手すり部２１と角材状体２０とが一体となって笠木Ａの外観を構成し、意匠的に纏まりの良い笠木Ａを構成することができる。
【００４３】
また、かかる構成からなる笠木Ａにあっては、壁付き手すりＦよりも高い位置にある笠木Ａの上面を肘の乗せかけ面部２０ｃ’としてあり、手すり部２１を握って移動動作をする際に、肘部分を都合良く乗せかけ面部２０ｃ’に乗せかけて用いることができる。
【００４４】
また、前記構成に係る笠木Ａにおいて、前記手すり部１１が前面側１１ｂに拇指を差し入れ得る溝状凹部１１ｄを長手方向にわたって備える構成とし、また、前記手すり部２１が前面側２１ｂに拇指を差し入れ得る溝状凹部２１ｄを長手方向にわたって備える構成とした手すり部１１、２１では、この溝状凹部１１ｄ、２１ｄに拇指を差し入れて手すり部１１、２１を握りることができ、手すり部１１、２１を確実に、かつ、安定に握り用いることができる。
【００４５】
なお、かかる溝状凹部１１ｄ、２１ｄは、拇指を差し入れて、当該拇指を溝状凹部１１ｄ、２１ｄの面に押しつけ得るものであれば、いかなる形状に構成してあってもよい。
【００４６】
また、前記構成に係る笠木Ａにおいて、前記手すり部１１が背面側１１ａに指掛用の溝状凹部１１ｅを長手方向にわたって備える構成とし、また、前記手すり部２１が背面側２１ａに指掛用の溝状凹部２１ｅを長手方向にわたって備える構成とした手すり部１１、２１では、この溝状凹部１１ｅ、２１ｅに手における小指側にある指を引っ掛け状態にして手すり部１１、２１を握りることができ、手すり部１１、２１を確実に、かつ、安定に握り用いることができる。
【００４７】
なお、かかる溝状凹部１１ｅ、２１ｅは、手における小指側にある指を当該溝状凹部１１ｅ、２１ｅの面に引っ掛け得るものであれば、いかなる形状に構成してあってもよい。
【００４８】
ついで、図１〜図７に示される具体的な笠木Ａについて詳細に説明する。
【００４９】
この図示例にあっては、階段Ｃに沿って壁体を備えて構成されている階段手すりＢ’と、この階段手すりＢ’に連続して上階の廊下Ｅにおける吹き抜け側の床部から起立するように備えられている腰壁Ｃの頂端部をそれぞれ構成する手段としての笠木Ａが示されている。
【００５０】
かかる階段手すりＢ’の各段板から笠木Ａの手すり部１１間の手すりＢの立ち上がり寸法、及び、腰壁Ｃの床面から笠木Ａの手すり部１１間の腰壁Ｃの立ち上がり寸法が、概ね９００ｍｍ〜１０００ｍｍとなるように構成してある。
【００５１】
この階段手すりＢ’及び腰壁Ｃの頂端部を構成する笠木Ａは、長尺の板状体１０、例えば、無垢の木材、集成材等からなる所定厚さの長尺板で構成してあり、その上面１０ｃが、歩行移動等の動作時に手をするようにして用い得る構成としてある。
【００５２】
そして、この長尺の板状体１０の幅側における使用後部側１０ａにある長手縁に沿って、この板状体１０から連続するように手すり部１１を起立するように設けてあり、この手すり部１１を除いた板状体１０の上面１０ｃを、使用手前側１０ｂ、すなわち、階段Ｃや廊下Ｅの通路側から当該手すり部１１を握って移動する際に、この手すり部１１を握って移動する人の肘を乗せかけ得る乗せかけ面部１０ｃ’として構成してある。
【００５３】
この図示例にあっては、手すり部１１から板状体１０における使用手前側１０ｂの幅側端に到る面を平坦な肘の乗せかけ面部１０ｃ’として構成してある。すなわち、図示例の腰壁Ｃにあっては、この笠木Ａにおける肘の乗せかけ面部１０ｃ’は水平の平坦面として構成してあり、また、階段手すりＢ’にあっては、この笠木Ａにおける肘の乗せかけ面部１０ｃ’はテーパ状の平坦面として構成してある。
【００５４】
また、この図示例に係る手すり部１１は、この手すり部１１の前面側１１ｂ、すなわち、使用手前側を向いている面に、拇指を差し入れ得る溝状凹部１１ｄを、また、背面側１１ａ、すなわち、使用手前側と反対の側を向いている手すり部１１の面に指掛け用の溝状凹部１１ｅを、それぞれ長手方向にわたって備える構成としてある。
【００５５】
この手すり部１１に備えられている拇指を差し入れ得る溝状凹部１１ｄは、当該溝状凹部１１ｄが拇指を差し入れ得る形状、大きさに構成してあれば、いかなる形状に構成してあっても、また、いかなる大きさに構成してあってもよい。また、前記指掛け用の溝状凹部１１ｅは、当該溝状凹部１１ｄｅが手における小指側の指を引っ掛け得る形状、大きさに構成してあれば、いかなる形状、大きさに構成してあってもよい。
【００５６】
この図示例に係る手すり部１１は、断面形状が、やや茸の傘状態に構成してあり、標準的な使用者が、この手すり部１１における溝状凹部１１ｄに拇指を、反対側にある溝状凹部１１ｅに小指側にある指を引っ掛けて当該手すり部１１を握った際に、拇指が溝状凹部１１ｄ面を押し、かつ、小指側にある指を溝状凹部１１ｅに引っ掛け得る大きさとしてあり、標準的な使用者が当該手すり部１１を握って拇指を溝状凹部１１ｄの内面に押し当て、かつ、小指側の指を溝状凹部１１ｅに引っ掛けた際に、手のひら部分と手すり部１１との間に隙間を生じたり、また、逆に、標準的な使用者が当該手すり部１１を握った際に、溝状凹部１１ｄに拇指が届かなかったり、溝状凹部１１ｅに小指側の指を引っ掛けられない大きさの手すり部１１とならない範囲の大きさの手すり部１１として構成してある。
【００５７】
この図示例に係る手すり部１１にあっては、溝状凹部１１ｄ及び溝状凹部１１ｅを、当該手すり部１１の基部側に互いに背中合わせ状態に備えられている半円弧状凹部１１ｄ’、１１ｅ’と、この半円弧状凹部１１ｄ’、１１ｅ’に連続する当該半円弧状凹部１１ｄ’、１１ｅ’の円弧よりも大きく開き出す拡開面部１１ｄ”、１１ｅ”とで構成してあり、幅側の両側に向けて湾曲状に下がる手すり部１１の上面１１ｃと共に、前記溝状凹部１１ｄ及び溝状凹部１１ｅの上方に構成される当該手すり部１１における握り部分が、その使用手前側と、使用後方側に向けて肉厚を漸次薄くするように構成されて、その断面形状が、所謂、茸の傘形状としてある。
【００５８】
このように構成される手すり部１１は、手のひらを手すり部１１の幅広の上面１１ｃに乗せかけて、拇指を溝状凹部１１ｄ面に押しつけ、かつ、小指側の指を溝状凹部１１ｅに対して容易かつ確実に引っ掛けることができ、手すり部１１を確実に握って動作することができる。
【００５９】
また、この手すり部１１と板状体１０における使用手前側１０ｂの幅側端との間に備えられている平坦な肘の乗せかけ面部１０ｃ’は、標準的な使用者における手のひらを乗せかけ得る幅以上の幅を備えるようにしてあり、手すり部１１を握った際に、その握った腕の肘部分を都合良く乗せかけ得る構成としてある。また、標準的な使用者が手すり部１１を握った際に、その肘を都合良く乗せかけ面部１０ｃ’に乗せかけ得る高さ、すなわち、使用者が立った位置における手すり部１１の握り高さが、床面や段板面から９００ｍｍ〜１０００ｍｍの高さになるように笠木Ａを手すりＢ及び腰壁Ｃに備える構成としてあり、当該手すりＢ及び腰壁Ｃの笠木Ａを用いて、円滑かつ安全な移動動作をなし得るようにしてある。なお、図中Ｆは壁付き手すりであって、この種の壁付き手すりＦは、階段Ｃの段板面及び廊下Ｅ等の床部面から、ほぼ７５０ｍｍ〜８００ｍｍの高さ位置に備え付けてある。
【００６０】
なお、この図１〜図７において構成されている笠木Ａを備えた階段手すりＢ’及び腰壁Ｃは、階段Ｃにおける段板面や、廊下Ｅ等の床面から手すり部１１の上面１１ｃまでの寸法が概ね９００ｍｍとしてあり、その壁厚をほぼ１２９ｍｍ、笠木Ａの板厚を３０ｍｍ、笠木Ａの幅を１４５ｍｍとしてあり、手すり部１１の背面側１１ａの面が笠木Ａにおける板状体１０の使用後部側１０ａの端面と同面をなすようにしてあり、この状態で、手すり部１１の上面１１ｃの幅寸法を６０ｍｍ、乗せかけ面部１０ｃ’からの起立高さをほぼ３０ｍｍとなるよう設けてある。
【００６１】
また、この図示例にあっては、階段手すりＢ’における笠木Ａと、腰壁Ｃにおける笠木Ａとが、ほぼ直角に連続するように組み付けてあり、この腰壁Ｃに備えられている笠木Ａの手すり部１１が、その背面側１１ａを階段手すりＢ’の笠木Ａに備えられている手すり部１１の上端面に密に接して、両者の手すり部１１、１１が一連に連続するように、腰壁Ｃに備えられている笠木Ａの手すり部１１を、この階段手すりＢ’の手すり部１１の前面側１１ｂのなす面から腰壁Ｃの側端に到る部分をカットしてある。
【００６２】
ついで、図８及び図９に示される他の具体的な笠木Ａについて詳細に説明する。
この図示例に係る笠木Ａは、前記図１〜図７において用いられる笠木Ａと同様の対象物に対して同様にして備え付け用いられるものであって、備え付け条件、備え付けられた笠木Ａの使用条件等は同一である。
【００６３】
従って、笠木Ａ以外の構成体及び笠木Ａの備え付け構造、笠木Ａの使用方法等に関しては、図１〜図７におけると概ね同一であり、その説明を省略する。
【００６４】
また、この笠木Ａにあっても、その手すり部１１以外の構成を前記図１〜図７における笠木Ａと概ね同一の構成としてあり、同様に階段手すりＢ’や腰壁Ｃ等に備え付けられ、かつ、ほぼ同様にして用いることができることから、手すり部１１の構成以外の部分についての説明を省略する。
【００６５】
この図示例に係る笠木Ａにおける板状体１０に備えられる手すり部１１は、当該手すり部１１における使用手前側と反対の側を向いている面、すなわち、背面側１１ａの面が、板状体１０における使用後部側１０ａの端面に面一をなすように当該板状体１０から起立状態に、しかも、当該板状体１０における長手縁に沿って設けてあり、その断面が、上下方向にやや長い矩形をなすようにしてある。
【００６６】
そして、この手すり部１１の前面側１１ｂ、すなわち、使用手前側を向いている面に、拇指を差し入れ得る溝状凹部１１ｄを、また、背面側１１ａ、すなわち、使用手前側と反対の側を向いている手すり部１１の面に指掛け用の溝状凹部１１ｅを、それぞれ長手方向にわたって備える構成としてある。
【００６７】
この図示例に係る手すり部１１にあっては、溝状凹部１１ｄ及び溝状凹部１１ｅを、手すり部１１の基部側に互いに背中合わせ状態に備えられている半円弧状凹部１１ｄ’、１１ｅ’で構成してあり、この前後の半円弧状凹部１１ｄ’、１１ｅ’で区分された手すり部１１の上部側が握り部として構成してある。
【００６８】
この手すり部１１に備えられている拇指を差し入れ得る溝状凹部１１ｄは、当該溝状凹部１１ｄが拇指を差し入れ得る形状、大きさに構成してあれば、いかなる形状に構成してあっても、また、いかなる大きさに構成してあってもよい。また、前記指掛け用の溝状凹部１１ｅは、当該溝状凹部１１ｅが手における小指側の指を引っ掛け得る形状、大きさに構成してあれば、いかなる形状、大きさに構成してあってもよい。
【００６９】
この図示例に係る手すり部１１では、前記の前面側１１ｂと背面側１１ａとにある半円弧状凹部１１ｄ’、１１ｅ’より上にある手すり部分の断面形状が、ほぼ正四角形状の矩形断面をなす構成としてあり、標準的な使用者が、この手すり部１１における溝状凹部１１ｄに拇指を、反対側にある溝状凹部１１ｅに小指側にある指を引っ掛けて当該手すり部１１を握った際に、拇指が溝状凹部１１ｄ面を押し、かつ、小指側にある指を溝状凹部１１ｅに引っ掛け得る大きさとしてあり、標準的な使用者が当該手すり部１１を握って拇指を溝状凹部１１ｄ内面に押し当て、かつ、小指側の指を溝状凹部１１ｅに引っ掛けた際に、手のひら部分と手すり部１１との間に隙間を生じたり、また、逆に、標準的な使用者が当該手すり部１１を握った際に、溝状凹部１１ｄに拇指が届かなかったり、溝状凹部１１ｅに小指側の指を引っ掛けられない大きさの手すり部１１とならない範囲の大きさの手すり部１１として構成してある。
【００７０】
このように構成される手すり部１１は、手のひらを手すり部１１の幅広の上面１１ｃに乗せかけて、拇指を溝状凹部１１ｄの面に押しつけ、かつ、小指側の指を溝状凹部１１ｅに対して容易かつ確実に引っ掛けることができ、手すり部１１を確実に握って動作することができる。
【００７１】
また、この手すり部１１と板状体１０における使用手前側１０ｂの幅側端との間に備えられている平坦な肘の乗せかけ面部１０ｃ’は、標準的な使用者における手のひらを乗せかけ得る幅以上の幅を備えるようにしてあり、手すり部１１を握った際に、その握った腕の肘部分を都合良く乗せかけ得る構成としてある。また、標準的な使用者が手すり部１１を握った際に、その肘を都合良く乗せかけ面部１０ｃ’に乗せかけ得る高さ、すなわち、９００ｍｍ〜１０００ｍｍの高さに手すり部１１を備えるように手すりＢ及び腰壁Ｃが構成してあり、当該手すりＢ及び腰壁Ｃの笠木Ａを用いて、円滑かつ安全な移動動作をなすことができる構成としてある。
【００７２】
ついで、図１０及び図１１に示される他の具体的な笠木Ａについて詳細に説明する。
この図示例に係る笠木Ａは、前記図１〜図７において用いられる笠木Ａと同様の対象物に対して同様にして備え付け用いられるものであって、備え付け条件、備え付けられた笠木Ａの使用条件等は同一である。
【００７３】
従って、笠木Ａ以外の構成体及び笠木Ａの備え付け構造、笠木Ａの使用方法等に関しては、図１〜図７におけると概ね同一であり、その説明を省略する。
【００７４】
また、この笠木Ａにあっても、その手すり部１１以外の構成を前記図１〜図７における笠木Ａと概ね同一の構成としてあり、同様に階段手すりＢ’や腰壁Ｃ等に備え付けられ、かつ、ほぼ同様にして用いることができることから、手すり部１１の構成以外の部分についての説明を省略する。
【００７５】
この図示例に係る笠木Ａにおける板状体１０に備えられる手すり部１１は、当該手すり部１１における使用手前側と反対の向きを向いている面、すなわち、背面側１１ａの面が、板状体１０における使用後部側１０ａの端面に面一をなすように当該板状体１０から起立状態に、しかも、当該板状体１０の長手縁に沿って設けてあり、その断面が、上下方向にやや長い矩形をなすように構成してある。
【００７６】
そして、この手すり部１１の前面側１１ｂ、すなわち、使用手前側を向いている面に、拇指を差し入れ得る溝状凹部１１ｄを、また、背面側１１ａ、すなわち、使用手前側と反対の側を向いている手すり部１１の面を指掛け面１１ｆとして、それぞれ長手方向にわたって備える構成としてある。
【００７７】
この図示例に係る手すり部１１にあっては、前面側１１ｂにある溝状凹部１１ｄを構成する半円弧状凹部１１ｄ’に拇指を差し入れ状態にして、手のひらで当該手すり部１１を覆いながら小指側の指を当該手すり部１１の背面側１１ａの指掛け面１１ｆに掛けて握り得る握り部を前記半円弧状凹部１１ｄ’以外の部分によって構成してある。
【００７８】
この手すり部１１に備えられている拇指を差し入れ得る溝状凹部１１ｄは、当該溝状凹部１１ｄが拇指を差し入れ得る形状、大きさに構成してあれば、いかなる形状に構成してあっても、また、いかなる大きさに構成してあってもよい。また、手すり部１１の背面側１１ａの指掛け面１１ｆが、小指側の指を引っ掛け得る形状、大きさに構成してあれば、いかなる形状、大きさに構成してあってもよい。
【００７９】
この図示例に係る手すり部１１では、前記の前面側１１ｂにある半円弧状凹部１１ｄ’を備えた手すり部１１の断面形状が、上下方向にやや長い矩形断面をなす構成としてあり、標準的な使用者が、この手すり部１１における溝状凹部１１ｄに拇指を、背面側１１ａに指掛け面１１ｆに小指側にある指を引っ掛けて当該手すり部１１を握った際に、拇指が溝状凹部１１ｄ面を押し、かつ、小指側にある指を背面側１１ａの指掛け面１１ｆに引っ掛け得る大きさとしてあり、標準的な使用者が当該手すり部１１を握って拇指を溝状凹部１１ｄ面に押し当て、かつ、小指側の指を背面側１１ａの指掛け面１１ｆに添わせた際に、手のひら部分と手すり部１１との間に隙間を生じたり、また、逆に、標準的な使用者が当該手すり部１１を握った際に、溝状凹部１１ｄに拇指が届かなかったり、手すり部１１の背面側１１ａの指掛け面１１ｆに小指側の指を引っ掛けられない大きさの手すり部１１とならない範囲の大きさの手すり部１１として構成してある。
【００８０】
このように構成される手すり部１１は、手のひらを手すり部１１の幅広の上面１１ｃに乗せかけて、拇指を溝状凹部１１ｄ面に押しつけ、かつ、小指側の指を手すり部１１の背面側１１ａの指掛け面１１ｆに対して容易かつ確実に引っ掛けることができ、手すり部１１を確実に握って動作することができる。
【００８１】
また、この手すり部１１と板状体１０における使用手前側１０ｂの幅側端との間に備えられている平坦な肘の乗せかけ面部１０ｃ’は、標準的な使用者における手のひらを乗せかけ得る幅以上の幅を備えるようにしてあり、手すり部１１を握った際に、その握った腕の肘部分を都合良く乗せかけ得る構成としてある。また、標準的な使用者が手すり部１１を握った際に、その肘を都合良く乗せかけ面部１０ｃ’に乗せかけ得る高さ、すなわち、９００ｍｍ〜１０００ｍｍの高さに手すり部１１を備えるように手すりＢ及び腰壁Ｃが構成してあり、当該手すりＢ及び腰壁Ｃの笠木Ａを用いて、円滑かつ安全な移動動作をなし得る構成としてある。
【００８２】
ついで、図１２及び図１３に示される他の具体的な笠木Ａについて詳細に説明する。
この図示例に係る笠木Ａは、前記図１〜図７において用いられる笠木Ａと同様の対象物に対して同様にして備え付け用いられるものであって、備え付け条件、備え付けられた笠木Ａの使用条件等は同一である。
【００８３】
従って、笠木Ａ以外の構成体及び笠木Ａの備え付け構造、笠木Ａの使用方法等に関しては、図１〜図７におけると概ね同一であり、その説明を省略する。
【００８４】
また、この笠木Ａにあっても、その手すり部１１以外の構成を前記図１〜図７における笠木Ａと概ね同一の構成としてあり、同様に階段手すりＢ’や腰壁Ｃ等に備え付けられ、かつ、ほぼ同様にして用いることができることから、手すり部１１の構成以外の部分についての説明を省略する。
【００８５】
この図示例に係る笠木Ａにおける板状体１０に備えられる手すり部１１は、当該手すり部１１における使用手前側と反対の向きを向いている面、すなわち、背面側１１ａの面が、板状体１０における使用後部側１０ａの端面に面一をなすように板状体１０から起立状態に、しかも、当該板状体１０の長手縁に沿って設けてあり、その断面が、上下方向にやや長い矩形をなすようにしてある。
【００８６】
そして、この手すり部１１の背面側１１ａ、すなわち、使用手前側と反対の側を向いている面の基部側に小指側の指を引っ掛け得る溝状凹部１１ｅを、この図示例にあっては半円弧状凹部１１ｅ’として、当該手すり部１１の長手方向にわたるように設けてある。また、この手すり部１１の前面側１１ｂの面を拇指の押しつけ面１１ｇとして構成してある。
【００８７】
この図示例に係る手すり部１１にあっては、手すり部１１の前面側１１ｂにある押しつけ面１１ｇに拇指を押しつけるようにして、手のひらで当該手すり部１１を覆いながら小指側の指を当該手すり部１１の背面側１１ａに備えられている溝状凹部１１ｅに引っ掛けて握り得る握り部を前記半円弧状凹部１１ｅ’以外の部分によって構成してある。
【００８８】
この手すり部１１に備えられている小指側の指を差し入れ得る溝状凹部１１ｅは、当該溝状凹部１１ｅが小指側の指を差し入れ得る形状、大きさに構成してあれば、いかなる形状に構成してあっても、また、いかなる大きさに構成してあってもよい。また、手すり部１１の前面側１１ｂにある押しつけ面１１ｇは、当該面１１ｇに拇指を押し当てて、小指側の指を前記溝状凹部１１ｅに引っ掛け得るものであれば、いかなる形態に構成してあってもよい。
【００８９】
この図示例に係る手すり部１１では、背面側１１ａに半円弧状凹部１１ｅ’を備える部分の断面形状が、上下方向にやや長い矩形断面をなす構成としてあり、標準的な使用者が、この手すり部１１における溝状凹部１１ｅに小指側の指を、前面側１１ｂにある押しつけ面１１ｇに拇指を押しつけて当該手すり部１１を握った際に、拇指が当該押しつけ面１１ｇに押し当てられ、かつ、小指側にある指を背面側１１ａの溝状凹部１１ｅに引っ掛け得る大きさとしてあり、標準的な使用者が当該手すり部１１を握って拇指を前面側１１ｂの押しつけ面１１ｇに押し当て、かつ、小指側の指を手すり部１１の背面側１１ａの溝状凹部１１ｅに引っ掛けた際に、手のひら部分と手すり部１１との間に隙間を生じたり、また、逆に、標準的な使用者が当該手すり部１１を握った際に、溝状凹部１１ｅに小指側の指が届かなかったり、押しつけ面１１ｇに拇指を押し当てられない大きさの手すり部１１とならない範囲の大きさの手すり部１１として構成してある。
【００９０】
このように構成される手すり部１１は、手のひらを手すり部１１の幅広の上面１１ｃに乗せかけて、拇指を前面側１１ｂの押しつけ面１１ｇに押し当て、かつ、小指側の指を手すり部１１の背面側１１ａにある溝状凹部１１ｅに対して容易かつ確実に引っ掛けることができ、手すり部１１を確実に握って動作することができる。
【００９１】
また、この手すり部１１と板状体１０における使用手前側１０ｂの幅側端との間に備えられている平坦な肘の乗せかけ面部１０ｃ’は、標準的な使用者における手のひらを乗せかけ得る幅以上の幅を備えるようにしてあり、手すり部１１を握った際に、その握った腕の肘部分を都合良く乗せかけ得る構成としてある。また、標準的な使用者が手すり部１１を握った際に、その肘を都合良く乗せかけ面部１０ｃ’に乗せかけ得る高さ、すなわち、９００ｍｍ〜１０００ｍｍの高さに手すり部１１を備えるように手すりＢ及び腰壁Ｃが構成してあり、当該手すりＢ及び腰壁Ｃの笠木Ａを用いて、円滑かつ安全な移動動作をなし得る構成としてある。
【００９２】
ついで、図１４及び図１５に示される他の具体的な笠木Ａについて詳細に説明する。
この図示例に係る笠木Ａは、前記図１〜図７において用いられる笠木Ａと同様の対象物に対して同様にして備え付け用いられるものであって、備え付け条件、備え付けられた笠木Ａの使用条件等は同一である。
【００９３】
従って、笠木Ａ以外の構成体及び笠木Ａの備え付け構造、笠木Ａの使用方法等に関しては、図１〜図７におけると概ね同一であり、その説明を省略する。
【００９４】
また、この笠木Ａにあっても、角材状体２０に手すり部２１を構成した以外の構成を前記図１〜図７における笠木Ａと概ね同一の構成としてあり、同様に階段手すりＢ’や腰壁Ｃ等に備え付けられ、かつ、ほぼ同様にして用いることができることから、角材状体２０及び手すり部２１の構成以外の部分についての説明を省略する。
【００９５】
この図１４及び図１５に示される笠木Ａは、歩行移動等の動作時に手をするようにして用いることのできる笠木Ａであって、この笠木Ａが、長尺の角材状体２０の幅側における使用後部側２０ａにある長手縁に沿って、上面２０ｃに開口する溝部２２を介して該角材状体２０から連続するように起立された手すり部２１を備えており、この溝部２２が前記手すり部２１を握って用い得る溝幅を備えており、かつ、前記溝部２２及び手すり部２１を除く角材状体２０の上面２０ｃが、前記手すり部２１を使用手前側２０ｂから握って移動する際に肘を乗せかけ得る乗せかけ面部２０ｃ’として構成してある。
【００９６】
なお、前記角材状体２０における上面２０ｃにおける使用後部側２０ａにある長手縁に沿って備えられている溝部２２は、この溝部２２で区分される当該角材状体２０における使用後部側２０ａの長手縁に沿って当該角材状体２０から連続するように手すり部２１を起立状態に構成でき、しかも、この角材状体２０から起立状態に備えられる手すり部２１を、この溝部２２に拇指を差し入れて当該手すり部２１を都合良く握って用い得る溝幅及び溝深さを備えるように設けてあれば、いかなる形状の溝部２２として構成してあっても、また、いかなる大きさの溝部２２に構成してあってもよい。
【００９７】
また、この角材状体２０の使用後部側２０ａの長手縁に沿って備えられる手すり部２１は、角材状体２０における使用後部側２０ａの長手縁に沿って、所定幅で、かつ、所定深さの溝部２２を設けることで、その上面２１ｃが、角材状体２０における溝部２２を除く他の上面２０ｃとほぼ同面をなすように、当該角材状体２０に設けてあってもよい。
【００９８】
また、かかる溝部２２を介して角材状体２０に備えられる手すり部２１は、角材状体２０の使用後部側２０ａを当該溝部２２を含むようにカットし、そのカット部分に溝部２２を構成するように適宜の手すり部材を、当該角材状体２０の背面側２１ａの端面に手すり部材における背面側の面を面一にして備え付けることによって設けてあってもよい。
【００９９】
なお、ここで角材状体２０に備えられる手すり部２１は、その断面形状が上下方向にやや長い矩形としてあり、手すり部的な外観を呈することがなく、外観体裁の良い笠木Ａを構成することができる。
【０１００】
かかる手すり部２１は、この溝部２２に差し入れた拇指を前面側２１ｂの面の構成する押しつけ面２１ｇに押しつけ、手のひら内に手すり部２１を納め入れるように小指側の指を手すり部２１の背面側２１ａの面の構成する指掛け面２１ｆに掛けて、当該手すり部２１を握って用いることができる。かかる手すり部２１は、標準的な使用者が前記溝部２２に差し入れた手の拇指を押しつけ面２１ｇに押しつけ、かつ、手すり部２１の背面側２１ａの指掛け面２１ｆに小指側の指を掛けて、当該手すり部２１を握った際に、手のひら部分と手すり部２１との間に隙間を生じたり、また、逆に、標準的な使用者が当該手すり部２１を握った際に、押しつけ面２１ｇに拇指の押しつけができなかったり、背面側２１ａの指掛け面２１ｆに小指側の指を掛けきれなかったりする大きさの手すり部２１とならない範囲の大きさの手すり部２１として構成してある。
【０１０１】
また、この溝部２２と角材状体２０における使用手前側２０ｂの幅側端との間に備えられている平坦な肘の乗せかけ面部２０ｃ’は、標準的な使用者における手のひらを乗せかけ得る幅以上の幅を備えるようにしてあり、手すり部２１を握った際に、その握った腕の肘部分を都合良く乗せかけ得る構成としてある。また、標準的な使用者が手すり部２１を握った際に、その肘を都合良く乗せかけ面部２０ｃ’に乗せかけ得る高さ、すなわち、９００ｍｍ〜１０００ｍｍの高さに手すり部２１を備えるように手すりＢ及び腰壁Ｃが構成してあり、当該手すりＢ及び腰壁Ｃの笠木Ａを用いて、円滑かつ安全な移動動作をなし得る構成としてある。
【０１０２】
ついで、図１６及び図１７に示される他の具体的な笠木Ａについて詳細に説明する。
この図示例に係る笠木Ａは、前記図１〜図７において用いられる笠木Ａと同様の対象物に対して同様にして備え付け用いられるものであって、備え付け条件、備え付けられた笠木Ａの使用条件等は同一である。
【０１０３】
従って、笠木Ａ以外の構成体及び笠木Ａの備え付け構造、笠木Ａの使用方法等に関しては、図１〜図７におけると概ね同一であり、その説明を省略する。
【０１０４】
また、この笠木Ａにあっても、その手すり部２１以外の構成を前記図１４及び図１５における笠木Ａと概ね同一の構成としてあり、同様に階段手すりＢ’や腰壁Ｃ等に備え付けられ、かつ、ほぼ同様にして用いることができることから、手すり部２１の構成以外の部分についての説明を省略する。
【０１０５】
この図示例に係る笠木Ａにおける角材状体２０に備えられる手すり部２１は、当該手すり部２１における使用手前側と反対の向きを向いている面、すなわち、背面側２１ａの面が、角材状体２０における使用後部側２０ａの端面に面一をなすように角材状体２０から起立状態に、しかも、当該角材状体２０の長手縁に沿うように設けてある。より具体的には角材状体２０における使用後部側２０ａの長手縁に沿って備えられている溝部２２によって、肘の乗せかけ面部２０ｃ’と区分するように設けてある。かかる手すり部２１は、その断面が、上下方向にやや長い矩形をなすようにしてあり、その上面２１ｃが肘の乗せかけ面部２０ｃ’と面一に構成してある。
【０１０６】
そして、この手すり部２１は、その前面側２１ｂ、すなわち、溝部２２内における使用手前側２０ｂを向いている面に、拇指を差し入れ得る溝状凹部２１ｇを当該前面側２１ｂの長手側にわたるように設けてあり、また、背面側２１ａの面を指掛け面２１ｆとして、当該背面側２１ａの長手側にわたるように構成してある。
【０１０７】
この図示例に係る手すり部２１にあっては、溝部２２内にある使用手前側２０ｂの溝状凹部２１ｄとしての半円弧状凹部２１ｄ’面に拇指を押しつけ状態にして、手のひらで当該手すり部２１を覆いながら小指側の指を当該手すり部２１の背面側２１ａの指掛け面２１ｆに掛けて握り得る握り部を前記半円弧状凹部２１ｄ’以外の部分によって構成してある。
【０１０８】
この手すり部２１に備えられている溝部２２内にあって、拇指を押しつけ得る溝状凹部２１ｄは、当該溝部２２と溝状凹部２１ｄとが拇指を差し入れ得る形状、大きさに構成してあれば、いかなる形状に構成してあっても、また、いかなる大きさに構成してあってもよい。また、手すり部２１の背面側２１ａの指掛け面２１ｆは、小指側の指を引っ掛け得る形状、大きさに構成してあれば、いかなる形状、大きさに構成してあってもよい。かかる手すり部２１を握る際に拇指の差し込まれる溝部２２は、当該溝部２２内において、拇指が手すり部２１を容易に握り得る大きさを備えるように構成してある。
【０１０９】
この図示例に係る手すり部２１では、前記の使用手前側２０ｂにある半円弧状凹部２１ｄ以外の断面形状が、上下方向にやや長い矩形断面をなす構成としてあり、標準的な使用者が、この手すり部２１における溝状凹部２１ｄ面に拇指を押しけ、背面側２１ａの指掛け面２１ｆに小指側にある指を引っ掛けて当該手すり部２１を握った際に、拇指が溝状凹部２１ｄの面に押しつけられ、かつ、小指側にある指を背面側２１ａの指掛け面２１ｆに引っ掛け得る大きさとしてあり、標準的な使用者が当該手すり部２１を握って拇指を溝状凹部２１ｄの内面に押し当て、かつ、小指側の指を背面側２１ａの指掛け面２１ｆに添わせた際に、手のひら部分と手すり部２１との間に隙間を生じたり、また、逆に、標準的な使用者が当該手すり部２１を握った際に、溝状凹部２１ｄに拇指が届かなかったり、手すり部２１の背面側２１ａの指掛け面２１ｆに小指側の指を引っ掛けられない大きさの手すり部２１とならない範囲の大きさの手すり部２１として構成してある。
【０１１０】
このように構成される手すり部２１は、手のひらを手すり部２１の幅広の上面２１ｃに乗せかけて、拇指を溝状凹部２１ｄの面に押しつけ、かつ、小指側の指を背面側２１ａの指掛け面２１ｆに対して容易かつ確実に引っ掛けることができ、手すり部２１を確実に握って動作することができる。
【０１１１】
また、この溝部２２と角材状体２０における使用手前側２０ｂの幅側端との間に備えられている平坦な肘の乗せかけ面部２０ｃ’は、標準的な使用者における手のひらを乗せかけ得る幅以上の幅を備えるようにしてあり、手すり部２１を握った際に、その握った腕の肘部分を都合良く乗せかけ得る構成としてある。また、標準的な使用者が手すり部２１を握った際に、その肘を都合良く乗せかけ面部２０ｃ’に乗せかけ得る高さ、すなわち、９００ｍｍ〜１０００ｍｍの高さに手すり部２１を備えるように手すりＢ及び腰壁Ｃが構成してあり、当該手すりＢ及び腰壁Ｃの笠木Ａを用いて、円滑かつ安全な移動動作をなし得る構成としてある。
【０１１２】
ついで、図１８及び図１９に示される他の具体的な笠木Ａについて詳細に説明する。
この図示例に係る笠木Ａは、前記図１〜図７において用いられる笠木Ａと同様の対象物に対して同様にして備え付け用いられるものであって、備え付け条件、備え付けられた笠木Ａの使用条件等は同一である。
【０１１３】
従って、笠木Ａ以外の構成体及び笠木Ａの備え付け構造、笠木Ａの使用方法等に関しては、図１〜図７におけると概ね同一であり、その説明を省略する。
【０１１４】
また、この笠木Ａにあっても、その手すり部２１以外の構成を前記図１４〜図１７における笠木Ａと概ね同一の構成としてあり、同様に階段手すりＢ’や腰壁Ｃ等に備え付けられ、かつ、ほぼ同様にして用いることができることから、手すり部２１の構成以外の部分についての説明を省略する。
【０１１５】
この図示例に係る笠木Ａにおける角材状体２０に備えられる手すり部２１は、当該手すり部２１における使用手前側と反対の向きを向いている面、すなわち、背面側２１ａの面が、角材状体２０における使用後部側２０ａの端面に面一をなすように角材状体２０から起立状態に、しかも、当該角材状体２０の長手縁に沿うように設けてあり、より具体的には角材状体２０における使用後部側２０ａの長手縁に沿って備えられている溝部２２で肘の乗せかけ面部２０ｃ’と区分するように設けてある。かかる手すり部２１は、その断面が、上下方向にやや長い矩形をなすようにしてあり、その上面２１ｃが肘の乗せかけ面部２０ｃ’と面一になるように構成してある。
【０１１６】
そして、この手すり部２１の背面側２１ａ、すなわち、使用手前側２０ｂと反対の側を向いている面に、小指側の指を引っ掛け得る溝状凹部２１ｅを、この図示例にあっては半円弧状凹部２１ｅ’として、当該背面側２１ａの長手方向にわたって設けてあり、また、溝部２２内にある使用前面側２１ｂの面に拇指を押しつけ得る押しつけ面１１ｇを、当該前面側２１ｂの長手方向にわたって設けてある。
【０１１７】
この図示例に係る手すり部２１にあっては、溝部２２内にある使用手前側２０ｂの押しつけ面２１ｇに拇指を押し当てるようになすと共に、手のひらで当該手すり部２１を覆いながら小指側の指を当該手すり部２１の背面側２１ａにある溝状凹部２１ｅに引っ掛けて握り得る握り部を前記半円弧状凹部２１ｅ’以外の部分で構成してある。
【０１１８】
この手すり部２１に備えられている溝部２２内にあって、拇指の押し当てられる押しつけ面２１ｇは当該拇指を押し当て得る形状、大きさに構成してあれば、いかなる形状に構成してあっても、また、いかなる大きさに構成してあってもよい。また、手すり部２１の使用手前側２０ｂと反対の向きに面している手すり部２１の背面側２１ａの面に備えられる溝状凹部２１ｅは、小指側の指を引っ掛け得る形状、大きさに構成してあれば、いかなる形状、大きさに構成してあってもよい。かかる手すり部２１を握る際に拇指の差し込まれる溝部２２は、当該溝部２２内において、拇指が手すり部２１を容易に握り得る大きさを備えるように構成してある。
【０１１９】
この図示例に係る手すり部２１では、前記半円弧状凹部２１ｅ’を備えて構成される断面形状が、上下方向にやや長い矩形断面をなす構成としてあり、標準的な使用者が、この手すり部２１における溝状凹部２１ｄに小指側の指を、溝部２２内にある押しつけ面２１ｇに拇指を押し当てて当該手すり部２１を握った際に、拇指が溝部２２内で押しつけ面２１ｇに押しつけられ、かつ、小指側にある指が背面側２１ａの面にある溝状凹部２１ｅに引っ掛け得る大きさとしてあり、標準的な使用者が当該手すり部２１を握って拇指を溝部２２内において押しつけ面２１ｇに押し当て、かつ、小指側の指を手すり部２１の背面側２１ａの溝状凹部２１ｅに引っ掛けた際に、手のひら部分と手すり部２１との間に隙間を生じたり、また、逆に、標準的な使用者が当該手すり部２１を握った際に、溝部２２内の押しつけ面２１ｇに拇指が届かなかったり、手すり部２１の背面側２１ａの溝状凹部２１ｅに小指側の指を引っ掛けられない大きさの手すり部２１とならない範囲の大きさの手すり部２１として構成してある。
【０１２０】
このように構成される手すり部２１は、手のひらを手すり部２１の幅広の上面２１ｃに乗せかけて、拇指を溝部２２から手すり部２１の押しつけ面２１ｇに押しつけ、かつ、小指側の指を手すり部２１の背面側２１ａの溝状凹部２１ｅに引っ掛けることで、容易かつ確実に手すり部２１を握って動作することができる。
【０１２１】
また、この溝部２２と角材状体２０における使用手前側２０ｂの幅側端との間に備えられている平坦な肘の乗せかけ面部２０ｃ’は、標準的な使用者における手のひらを乗せかけ得る幅以上の幅を備えるようにしてあり、手すり部２１を握った際に、その握った腕の肘部分を都合良く乗せかけ得る構成としてある。また、標準的な使用者が手すり部２１を握った際に、その肘を都合良く乗せかけ面部２０ｃ’に乗せかけ得る高さ、すなわち、９００ｍｍ〜１０００ｍｍの高さに手すり部２１を備えるように手すりＢ及び腰壁Ｃが構成してあり、当該手すりＢ及び腰壁Ｃの笠木Ａを用いて、円滑かつ安全な移動動作をなし得るように構成してある。
【図面の簡単な説明】
【０１２２】
【図１】典型的な笠木を用いた腰壁及び階段手すりを示す斜視図
【図２】同要部平面図
【図３】同要部斜視図
【図４】同要部正面図
【図５】同要部断面図
【図６】同笠木の斜視図
【図７】同断面図
【図８】他の典型的な笠木を示す斜視図
【図９】同断面図
【図１０】更に他の典型的な笠木を示す斜視図
【図１１】同断面図
【図１２】更に他の典型的な笠木を示す斜視図
【図１３】同断面図
【図１４】更に他の典型的な笠木を示す斜視図
【図１５】同断面図
【図１６】更に他の典型的な笠木を示す斜視図
【図１７】同断面図
【図１８】更に他の典型的な笠木を示す斜視図
【図１９】同断面図
【符号の説明】
【０１２３】
Ａ  笠木
Ｂ  手すり
Ｃ  腰壁
１０  板状体
１０ａ  使用後部側
１０ｂ  使用手前側
１０ｃ  上面
１０ｃ’  乗せかけ面部
１１  手すり部
２０  角材状体
２１  手すり部
２２  溝部
【図１】
2008038562.tif 000003
【図２】
2008038562.tif 000004
【図３】
2008038562.tif 000005
【図４】
2008038562.tif 000006
【図５】
2008038562.tif 000007
【図６】
2008038562.tif 000008
【図７】
2008038562.tif 000009
【図８】
2008038562.tif 000010
【図９】
2008038562.tif 000011
【図１０】
2008038562.tif 000012
【図１１】
2008038562.tif 000013
【図１２】
2008038562.tif 000014
【図１３】
2008038562.tif 000015
【図１４】
2008038562.tif 000016
【図１５】
2008038562.tif 000017
【図１６】
2008038562.tif 000018
【図１７】
2008038562.tif 000019
【図１８】
2008038562.tif 000020
【図１９】
2008038562.tif 000021